(57)【特許請求の範囲】
【請求項１】
ケースと、
前記ケースにスライド可能に保持され、前記ケース内に収納される収納位置、及び前記ケースから引き出した引出位置とを有し、前記引出位置において、カップを挿入可能なカップ挿入穴を有するホルダー本体とを備える車載用カップホルダーにおいて、
前記ホルダー本体には、
前記カップを載置する底壁と、
奥側に開口する後部開口部と、
前記後部開口部に連続し、前記底壁の一部を切り欠いた底部開口部と、
前記ホルダー本体に対して前後動可能に支持され、前記カップ挿入穴に臨む後退位置、及び前記カップ挿入穴内に突出する前進位置とを有するカップ載置部材と、
前記カップ載置部材を前記後退対置に向かって付勢するための付勢手段とを備え、
前記カップ載置部材には、
前記後退位置において前記後部開口部を塞ぐ後板と、
前記後退位置において前記底部開口部を塞ぎ、前記前進位置において前記底壁と上下方向に重なり合う載置板を備え、
前記ケースには、
前記収納位置において、前記付勢手段の付勢力に抗して、前記カップ載置部材を前記前進位置に向かって押圧する押圧部を備えていることを特徴とする車載用カップホルダー。
【請求項２】
前記カップ載置部材は、
前記ホルダー本体に対して回転可能に支持されていることを特徴とする請求項１に記載の車載用カップホルダー。
【請求項３】
前記カップ載置部材の前記載置板と、前記ホルダー本体の前記底壁との対向面には、
両面の接触抵抗を減少させるためのリブを備えていることを特徴とする請求項１又は請求項２に記載の車載用カップホルダー。
【請求項４】
前記押圧部の後方には、
機器がはまり込む格納空間を備えていることを特徴とする請求項１〜３のいずれか１項に記載の車載用カップホルダー。
【請求項５】
前記ホルダー本体には、
前記カップ挿入穴に向かって弾性的に突出するガイドを備えていることを特徴とする請求項１〜４のいずれか１項に記載の車載用カップホルダー。
【発明の詳細な説明】
【０００１】
【発明の属する技術分野】
この発明は、車載用カップホルダーに関し、ケースの奥に隣接して位置する機器等に支障なく、ホルダー本体をケース内に収納することができるようにしたものである。
【０００２】
【従来の技術】
従来、カップホルダーとしては、左右の中央より二つ折りに折り畳めるようにしたものがあった（特許第2624633号公報）。
【０００３】
【発明が解決しようとする課題】
しかし、上記した従来のカップホルダーでは、二つ折りに折り畳むことで、左右方向の幅を減少することができたが、折り畳んでも前後方向の長さが変化しないという問題点があった。
また、上記した従来のカップホルダーでは、二つ折りに折り畳むことで、上下方向の高さが増加してしまうという問題点もあった。
【０００４】
すなわち、ケースの奥に機器が格納されている場合には、ホルダー本体の前後方向の長さを短くし、又、スライド量も減少する必要であった。
しかし、ホルダー本体の前後方向の長さを短くし、又、スライド量も減少すると、引き出し量が減少してしまい、小型のカップしか支持できなくなってしまうという欠点があった。
【０００５】
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、ケース内に収納した際に、ホルダー本体の後壁を前進させることで、ケースの奥に隣接して位置する機器等に支障なく、ホルダー本体をケース内に収納することができるようにしたものである。
【０００６】
その結果、ホルダー本体を引き出した際には、後壁を後退させることで、カップ挿入穴を拡大でき、ペットボトル等の大型のカップを支持することができる。
（請求項２）
請求項２に記載の発明は、上記した請求項１に記載の発明の目的に加え、次の点を目的とする。
【０００７】
すなわち、請求項２に記載の発明は、カップ載置部材を回転して収納することができるようにしたものである。
（請求項３）
請求項３に記載の発明は、上記した請求項１又は請求項２に記載の発明の目的に加え、次の点を目的とする。
【０００８】
すなわち、請求項３に記載の発明は、カップ載置部材の移動をスムーズに行うことができるようにしたものである。
その結果、ホルダー本体を収納位置に向かって押し込む際の、操作力を軽減することができる。
（請求項４）
請求項４に記載の発明は、上記した請求項１〜３のいずれか１項に記載の発明の目的に加え、次の点を目的とする。
【０００９】
すなわち、請求項４に記載の発明は、ケースの格納空間に機器を格納することができるようにしたものである。
（請求項５）
請求項５に記載の発明は、上記した請求項１〜４のいずれか１項に記載の発明の目的に加え、次の点を目的とする。
【００１０】
すなわち、請求項５に記載の発明は、ストッパにより、カップのガタ付きを防止することができるようにしたものである。
【００１１】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１２】
また、図面番号も、発明の実施の形態において用いた図番を示し、本発明の技術的範囲を限定するものではない。
（請求項１）
請求項１に記載の発明は、次の点を特徴とする。
第一に、車載用カップホルダー(10)には、例えば図２に示すように、次の（１）〜（２）の構成を備えている。
【００１３】
（１）ケース(30)
（２）ホルダー本体(40)
ホルダー本体(40)は、ケース(30)にスライド可能に保持され、ケース(30)内に収納される収納位置、及びケース(30)から引き出した引出位置とを有し、引出位置において、カップ（図示せず）を挿入可能なカップ挿入穴(41)を有するものである。
【００１４】
第二に、ホルダー本体(40)には、例えば図１及び図２に示すように、次の（３）〜（７）の構成を備えている。
（３）底壁
底壁は、カップ（図示せず）を載置するものである。
（４）後部開口部
後部開口部は、奥側に開口するものである。
【００１５】
（５）底部開口部(44)
底部開口部(44)は、例えば図１に示すように、後部開口部に連続し、底壁の一部を切り欠いたものである。
（６）カップ載置部材(60)
カップ載置部材(60)は、例えば図１及び図４に示すように、ホルダー本体(40)に対して前後動可能に支持され、カップ挿入穴(41)に臨む後退位置、及びカップ挿入穴(41)内に突出する前進位置とを有するものである。
【００１６】
（７）付勢手段（例えばスプリング64）
付勢手段（例えばスプリング64）は、例えば図４に示すように、カップ載置部材(60)を後退対置に向かって付勢するためのものである。
第三に、カップ載置部材(60)には、例えば図１及び図４に示すように、次の（８）〜（９）の構成を備える。
【００１７】
（８）後板(62)
後板(62)は、例えば図４に示すように、後退位置において後部開口部を塞ぐものである。
（９）載置板(63)
載置板(63)は、例えば図４に示すように、後退位置において底部開口部(44)を塞ぎ、例えば図１に示すように、前進位置において底壁と上下方向に重なり合うものである。
【００１８】
第四に、ケース(30)には、例えば図１及び図４に示すように、押圧部(33)を備えている。
上記押圧部(33)は、例えば図１に示すように、収納位置において、付勢手段（例えばスプリング64）の付勢力に抗して、カップ載置部材(60)を前進位置に向かって押圧するものである。
（請求項２）
請求項２に記載の発明は、上記した請求項１に記載の発明の特徴点に加え、次の点を特徴とする。
【００１９】
すなわち、カップ載置部材(60)は、例えば図１及び図４に示すように、ホルダー本体(40)に対して回転可能に支持されている。
（請求項３）
請求項３に記載の発明は、上記した請求項１又は請求項２に記載の発明の特徴点に加え、次の点を特徴とする。
【００２０】
すなわち、カップ載置部材(60)の載置板(63)と、ホルダー本体(40)の底壁との対向面には、例えば図１及び図４に示すように、リブ(43)を備えている。
上記リブ(43)は、カップ載置部材(60)の載置板(63)と、ホルダー本体(40)の底壁との対向面の両面の接触抵抗を減少させるためのものである。
（請求項４）
請求項４に記載の発明は、上記した請求項１〜３のいずれか１項に記載の発明の特徴点に加え、次の点を特徴とする。
【００２１】
すなわち、押圧部(33)の後方には、例えば図１に示すように、格納空間(34)を備えている。
上記格納空間(34)は、例えば図１に示すように、機器(20)がはまり込むものである。
（請求項５）
請求項５に記載の発明は、上記した請求項１〜４のいずれか１項に記載の発明の特徴点に加え、次の点を特徴とする。
【００２２】
すなわち、ホルダー本体(40)には、例えば図１及び図２に示すように、ガイド(70)を備えている。
上記ガイド(70)は、例えば図１及び図２に示すように、カップ挿入穴(41)に向かって弾性的に突出するものである。
【００２３】
【発明の実施の形態】
（図面の説明）
図１〜７は、本発明の実施の形態の一例をそれぞれ示すものである。
図１は、カップホルダーの収納状態を示す平面図、図２はカップホルダーの分解斜視図をそれぞれ示すものである。
【００２４】
図３〜５は、カップホルダーの引出状態をそれぞれ示すものであり、図３は斜視図、図４は平面図、図５は側面図をそれぞれ示すものである。
図６〜７は、カップホルダーの収納状態をそれぞれ示すものであり、図６は斜視図、図７は側面図をそれぞれ示すものである。
（カップホルダー10）
図中、10は、カップホルダーを示すものである。
【００２５】
上記カップホルダー10は、図示しないが、例えば自動車のセンターコンソールに、後部座席に向かって固定される。そして、カップホルダー10は、図３〜５に示すように、手前に引き出して使用され、当該引出位置において、図示しないが、カップを挿入可能なものである。
上記カップは、コップのほか、缶類、ペットボトル類等を含むものである。
【００２６】
なお、カップホルダー10の取付位置は、自動車のセンターコンソールに限定されず、自動車のインストルメントパネルやアームレスト等でも良い。
また、カップホルダー10を後部座席に向かって固定したが、運転席や助手席に向かって固定しても良い。
上記センターコンソールには、機器20が内蔵され、当該機器20は、図１に示すように、カップホルダー10の奥に隣接して配置されている。
【００２７】
上記機器20は、図示しないが、例えばＶＳＣセンサーが内蔵されている。
上記ＶＳＣセンサーは、車両走行安定用のＧセンサーで、車両の重心位置に取り付けられる。
なお、機器20は、ＶＳＣセンサーに限定されず、他の機器でも良い。
具体的には、カップホルダー10には、図２に示すように、大別すると、次の構成を備える。
【００２８】
（１）ケース30
（２）ホルダー本体40
なお、カップホルダー10の構成は、上記した（１）〜（２）に限定されない。
（ケース30）
ケース30は、図２に示すように、前面が開口した中空な箱形に形成されている。そして、ケース30は、適度な剛性を有する熱可塑性樹脂、例えばＡＢＳ等により、一体成形されている。
【００２９】
具体的には、ケース30には、図２に示すように、次の構成を備える。
（１）前面開口部
（２）底板
（３）左右の側板
（４）天板
（５）裏板
なお、ケース30の構成は、上記した（１）〜（５）に限定されない。
（前面開口部）
前面開口部は、図３に示すように、ホルダー本体40が出入りするためのものである。
（側板）
側板は、図２に示すように、左右一対有り、各側板には、次の構成を備える。
【００３０】
なお、各側板の構成は、次の（１）〜（２）に限定されない。
（１）ガイド溝31
ガイド溝31は、図２に示すように、ホルダー本体40をスライド方向に沿って設けられ、ホルダー本体40をスライド可能に保持するためのものである。
（２）切欠部32
切欠部32は、図２及び図３に示すように、左右の側板の後端部にそれぞれ形成され、ホルダー本体40の最前進位置を規制するためのものである。
（天板）
天板には、図２に示すように、次の構成を備える。
【００３１】
なお、天板の構成は、次の（１）に限定されない。
（１）左右一対の取付金具50,50
取付金具50は、図２に示すように、天板の左右両側に取り付けられ、図示しないが、センターコンソールに取り付く灰皿固定に用いるものである。
（裏板）
裏板は、図示しないが、ケース30の後面を一部塞ぐものである。
【００３２】
具体的には、裏板には、図１に示すように、次の構成を備える。
なお、裏板の構成は、次の（１）〜（２）に限定されない。
（１）押圧部33
押圧部33は、図１に示すように、収納位置において、後述するホルダー本体40のカップ載置部材60を押圧するためのものである。
【００３３】
（２）格納空間34
格納空間34は、図１に示すように、押圧部33の裏側、すなわちケース30の奥に位置し、機器20がはまり込むものである。
（ホルダー本体40）
ホルダー本体40は、適度な剛性と弾性とを有する熱可塑性樹脂、例えばＡＢＳ等により、一体成形されている。
【００３４】
具体的には、ホルダー本体40には、図２に示すように、大別すると、次の構成を備える。
（１）左右一対のカップ挿入穴41,41
（２）左右一対のカップ載置部材60
（３）左右一対のガイド70
（４）左右一対のアーム80
なお、ホルダー本体40の構成は、上記した（１）〜（４）に限定されない。
（カップ挿入穴41）
カップ挿入穴41は、図２に示すように、仕切壁42により左右に仕切られ、左右一対形成されている。
【００３５】
各カップ挿入穴41は、図３〜５に示す引出位置において、カップ（図示せず）を挿入可能なものである。
なお、カップ挿入穴41は、左右一対形成したが、１個でも良い。
具体的には、カップ挿入穴41には、図１に示すように、次の構成を備える。
（１）底壁
（２）前壁
（３）左右の側壁
（４）後部開口部
（底壁）
底壁には、図１に示すように、次の構成を備える。
【００３６】
なお、底壁の構成は、次の（１）〜（２）に限定されない。
（１）リブ43
リブ43は、カップ載置部材60の下面との間の摩擦抵抗を減少させるためのものである。
具体的には、リブ43は、図４に示すように、カップ載置部材60の回転軌跡に沿って円弧状に形成されている。
【００３７】
なお、底壁に、リブ43を形成したが、これに限定されず、カップ載置部材60の載置板63の下面に形成したり、或いは底壁とカップ載置部材60の下面とにそれぞれ形成しても良い。
（２）底部開口部44
底部開口部44は、図１に示すように、後部開口部に連続し、底壁の一部を切り欠いたものである。
（前壁）
前壁には、図４に示すように、次の構成を備える。
【００３８】
なお、前壁の構成は、次の（１）に限定されない。
（１）引き手45
引き手45は、前壁の前面の中央に位置し、ホルダー本体40を引き出すためのものである。
なお、ホルダー本体40を手で引き出すようにしたが、これに限らず、ばね等の突出手段により突出させるようにしても良い。
（後部開口部）
後部開口部には、図１に示すように、次の構成を備える。
【００３９】
（１）左右一対のストッパー46,46
ストッパー46は、図１に示すように、仕切壁42の下面から左右一対、突出する。各ストッパー46は、カップ載置部材60にそれぞれ当接して、カップ載置部材60の最後退位置を規制するためのものである。
（カップ載置部材60）
カップ載置部材60には、適度な剛性を有する熱可塑性樹脂、例えばＡＢＳ等により、一体成形されている。
【００４０】
具体的には、カップ載置部材60には、図１に示すように、次の構成を備える。
なお、カップ載置部材60の構成は、次の（１）〜（４）に限定されない。
（１）回転軸61
回転軸61は、ホルダー本体40の上下に回転可能に支持されている。
なお、カップ載置部材60を、回転軸61により回転可能としたが、これに限らず、前後方向にスライドするようにしても良い。
【００４１】
（２）後板62
後板62は、図４に示す後退位置において、ホルダー本体40の後部開口部を塞ぐためのものである。
（３）載置板63
載置板63は、図４に示す後退位置において、ホルダー本体40の底部開口部22を塞ぎ、図１に示す前進位置においては、ホルダー本体40の底壁と上下に重なり合うものである。
【００４２】
（４）スプリング64（付勢手段）
スプリング64は、回転軸61を中心に、カップ載置部材60を図４に示す後退位置に向かって付勢する付勢手段として機能する。
なお、付勢手段としては、スプリング64に限定されず、板ばね等を使用しても良い。
（ガイド70）
ガイド70は、図１及び図２に示すように、左右一対有り、各ガイド70は、それぞれのカップ挿入穴41に向かって弾性的に突出するものである。
【００４３】
具体的には、各ガイド70は、図示しないが、次の構成を備える。
なお、各ガイド70の構成は、次の（１）〜（２）に限定されない。
（１）支持軸
支持軸は、カップ挿入穴41の周囲に支持され、ガイド70は、支持軸を中心に上下に回転する。
【００４４】
（２）スプリング（弾性手段）
スプリングは、ガイド70を上方、すなわち水平位置に向かって付勢するためのものである。
各ガイド70は、図示しないが、カップがカップ挿入穴41に挿入されると、カップに押されて、スプリングの復元力に抗して、支持軸を中心に下方に向かって回転する。各ガイド70は、スプリングの復元力により、カップの周囲に弾性的に当接し、カップ挿入穴41内でカップがガタ付くのを防止する。
（アーム80）
アーム80には、図１及び図２に示すように、左右の側壁の後ろ向きに延び、左右一対形成されている。
【００４５】
各アーム80には、図１及び図２に示すように、次の構成を備える。
なお、各アーム80の構成は、次の（１）〜（３）に限定されない。
（１）ガイドレール81
ガイドレール81は、ケース30の左右のガイド溝31にそれぞれはまり込むものである。
【００４６】
（２）弾性爪82
弾性爪82は、図１及び図２に示すように、左右のアーム80の後端部にそれぞれ位置し、ケース30の左右の切欠部32に当接することで、ホルダー本体40の最前進位置を規制するためのものである。
（３）板ばね83（当接部材）
板ばね83は、図１及び図２に示すように、左右のアーム80の上面にそれぞれ取り付けられ、ケース30のガイド溝31の上面にそれぞれ弾性的に当接する当接部材として機能する。板ばね83は、ホルダー本体40が不用意にスライドするのを防止するためのものである。
【００４７】
なお、当接部材としては、板ばね83に限定されず、クッションを用いても良い。
（使用方法）
つぎに、上記した構成を備えるカップホルダー10は、以下のように使用する。
まず、図１、図６及び図７に示すように、ホルダー本体40の収納位置では、その引き出45に指を差し込み、ケース30から手前に引き出せば良い。
【００４８】
ホルダー本体40を手前に引き出すと、図３〜５に示すように、カップ載置部材60が、スプリング64の付勢力により、回転軸61を中心に回転して後退する。
カップ載置部材60は、図４に示すように、ホルダー本体40のストッパー46に当接することで、最後退位置に停止する。
最後退位置では、カップ載置部材60の後板62により、ホルダー本体40の後部開口部を塞ぐとともに、載置板63により、ホルダー本体40の底部開口部22を塞ぐ。
【００４９】
一方、図示しないが、カップをカップ挿入穴41に挿入すると、カップの底が、ホルダー本体40の底壁の上面と、カップ載置部材60の載置板63の上面とに載る。
ホルダー本体40の収納するには、図１、図６及び図７に示すように、ケース30内に押し込めば良い。
ホルダー本体40が押し込まれると、カップ載置部材60は、図１に示すように、ケース30の押圧部33に相対的に押されて、スプリング64の付勢力に抗して、回転軸61を中心に回転して前進する。
【００５０】
【発明の効果】
本発明は、以上のように構成されているので、以下に記載されるような効果を奏する。
（請求項１）
請求項１に記載の発明によれば、次のような効果を奏する。
【００５１】
すなわち、請求項１に記載の発明によれば、ケース内に収納した際に、ホルダー本体の後壁を前進させることで、ケースの奥に隣接して位置する機器等に支障なく、ホルダー本体をケース内に収納することができる。
その結果、ホルダー本体を引き出した際には、後壁を後退させることで、カップ挿入穴を拡大でき、ペットボトル等の大型のカップを支持することができる。
（請求項２）
請求項２に記載の発明によれば、上記した請求項１に記載の発明の効果に加え、次のような効果を奏する。
【００５２】
すなわち、請求項２に記載の発明によれば、カップ載置部材を回転して収納することができる。
（請求項３）
請求項３に記載の発明によれば、上記した請求項１又は請求項２に記載の発明の効果に加え、次のような効果を奏する。
【００５３】
すなわち、請求項３に記載の発明によれば、カップ載置部材の移動をスムーズに行うことができるようにしたものである。
その結果、ホルダー本体を収納位置に向かって押し込む際の、操作力を軽減することができる。
（請求項４）
請求項４に記載の発明によれば、上記した請求項１〜３のいずれか１項に記載の発明の効果に加え、次のような効果を奏する。
【００５４】
すなわち、請求項４に記載の発明によれば、ケースの格納空間に機器を格納することができる。
（請求項５）
請求項５に記載の発明によれば、上記した請求項１〜４のいずれか１項に記載の発明の効果に加え、次のような効果を奏する。
【００５５】
すなわち、請求項５に記載の発明によれば、ストッパにより、カップのガタ付きを防止することができる。
【図面の簡単な説明】
【図１】カップホルダーの収納状態を示す平面図である。
【図２】カップホルダーの分解斜視図である。
【図３】カップホルダーの引出状態を示す斜視図である。
【図４】カップホルダーの引出状態を示す平面図である。
【図５】カップホルダーの引出状態を示す側面図である。
【図６】カップホルダーの収納状態を示す斜視図である。
【図７】カップホルダーの収納状態を示す側面図である。
【符号の説明】
10  カップホルダー        20  機器
30  ケース                31  ガイド溝
32  切欠部                33  押圧部
34  格納空間              40  ホルダー本体
41  カップ挿入穴          42  仕切壁
43  リブ                  44  底部開口部
45  引き手                46  ストッパー
50  取付金具              60  カップ載置部材
61  回転軸                62  後板
63  載置板                64  スプリング
70  ガイド                80  アーム
81  ガイドレール          82  弾性爪
83  板ばね
【図１】
0004566452.tif 000002
【図２】
0004566452.tif 000003
【図３】
0004566452.tif 000004
【図４】
0004566452.tif 000005
【図５】
0004566452.tif 000006
【図６】
0004566452.tif 000007
【図７】
0004566452.tif 000008